(57)【特許請求の範囲】
【請求項１】
錘体の上部に浮力体を有するＬ型天秤付き釣り用錘であって、
前記Ｌ型天秤は、前記釣り用錘の長手方向中心軸に沿って上方に延びる第１のアームと、前記釣り用錘の長手方向中心軸に対して垂直な方向に延びる第２のアームとを有し、
前記浮力体が前記錘体に対して接合され、その接合面は、前記長手方向中心軸と垂直な面に対して傾斜し、
釣り用錘全体の重心が前記長手方向中心軸に対して前記第２のアームの延在方向と反対の方向に偏心して位置されることを特徴とするＬ型天秤付き釣り用錘。
【請求項２】
前記錘体は、前記長手方向中心軸から偏心した位置に、前記錘体の比重と異なる比重の材料を有することを特徴とする請求項１に記載のＬ型天秤付き釣り用錘。
【請求項３】
前記錘体が前記長手方向中心軸に対して非対称な形状を成すことを特徴とする請求項１に記載のＬ型天秤付き釣り用錘。
【発明の詳細な説明】
【技術分野】
【０００１】
本発明は、錘体にＬ型天秤が付設されたＬ型天秤付き釣り用錘に関する。
【背景技術】
【０００２】
従来から、特に投げ釣り用の錘として、仕掛けと道糸の両方を結びつけることができるＬ型の天秤が付設されたＬ型天秤付き釣り用錘が知られている。図５に示されるように、このような釣り用錘１００は、例えば、錘体１０４上にプラスチック等の浮力体１０６を備えて成る本体１０２を有し、浮力体１０６にＬ型天秤１１０が設けられる（例えば、特許文献１参照）。Ｌ型天秤１１０は、本体１０２の長手方向中心軸に沿って浮力体１０６の上端から延びる第１のアーム１１２と、本体１０２の長手方向中心軸に対して垂直な方向で浮力体１０６の上端から延びる第２のアーム１１４とを有しており、第１のアーム１１２に道糸が結合され、第２のアーム１１４に仕掛け１３０が結合される。
【先行技術文献】
【特許文献】
【０００３】
【特許文献１】特開平５−５６７３２号
【発明の概要】
【発明が解決しようとする課題】
【０００４】
ところで、このようなＬ型天秤付き釣り用錘１００は、例えば海藻や岩等の根が点在する海中に仕掛け１３０と共に投入されて海底Ｂ（図５参照）に着底した後、仕掛け１３０を巻き上げるべく海底Ｂに沿って引き摺られる際などにおいて、仕掛け１３０を介して或いは直接に根に引っ掛かってしまうことが多々ある。これは、図５に示されるように、錘１００の重心位置に起因して、錘１００が潮の流れの方向に傾いた際に、第２のアーム１１４もその傾き方向（したがって、海底Ｂへ向けた方向）に向けられて、仕掛け１３０が海底Ｂを這うように流されるからである。
【０００５】
本発明は、前記事情に着目してなされたものであり、その目的とするところは、潮の流れなどの影響を受けても根掛かりを防止できるＬ型天秤付き釣り用錘を提供することにある。
【課題を解決するための手段】
【０００６】
前記課題を解決するために、請求項１に記載の発明は、錘体の上部に浮力体を有するＬ型天秤付き釣り用錘であって、前記Ｌ型天秤は、前記釣り用錘の長手方向中心軸に沿って上方に延びる第１のアームと、前記釣り用錘の長手方向中心軸に対して垂直な方向に延びる第２のアームとを有し、前記浮力体が前記錘体に対して接合され、その接合面は、前記長手方向中心軸と垂直な面に対して傾斜し、釣り用錘全体の重心が前記長手方向中心軸に対して前記第２のアームの延在方向と反対の方向に偏心して位置されることを特徴とする。
【０００７】
この請求項１に記載の発明によれば、錘体の上部に浮力体が設けられているため、Ｌ型天秤付き釣り用錘が海底などの水底で自立できる。しかも、その自立姿勢は、釣り用錘全体の重心が該釣り用錘の長手方向中心軸に対して第２のアームの延在方向と反対の方向に偏心して位置されていることに起因して、重心方向に傾けられるとともに、第２のアームがその傾き方向と反対の方向、すなわち、海底から離れる上向き方向に向けられた姿勢となる。したがって、仕掛けが海底を這うように流されず、根掛かりを防止できる（図２参照）。また、海底などにおいて錘が潮の流れの影響を受けても、第２のアームは、海底から離れる上向き方向に向けられる姿勢が変わらない。具体的には、錘の下端が海底に接地した状態で錘全体は傾いて自立しているが、潮の影響を受けても、その傾いた自立姿勢は変わらず、錘の下端を支点として潮の流れの方向へ水平面内で回転するだけである。したがって、同様に根掛かりを防止できる。
また、この請求項１に記載の発明によれば、浮力体と錘体との接合面が釣り用錘の長手方向中心軸と垂直な面に対して傾斜しているため、釣り用錘全体の重心を効果的且つ簡単に前記長手方向中心軸に対して第２のアームの延在方向と反対の方向に偏心させることができる。また、このように、接合面が傾斜していると、例えば仕掛けを巻き上げるべく錘が傾いた状態で海底に沿って引き摺られる際に（例えば、図２参照）、海底側となる錘体の面積を、接合面が傾斜していない（長手方向中心軸に対して垂直な）場合と比べて大きくでき、また、錘体が浮力体と比較して硬質となっていることから、海底の凹凸等による錘の破損を抑制できる（浮力体の損傷を防止できる）。
なお、上記構成において、「第２のアームの延在方向と反対の方向」とは、第２のアームの長手方向軸線の延長線上のみならず、この延長線の両側４５度の範囲（延長線を中心とする全体で９０度の範囲）にわたる任意の方向を含むものとする。
【００１０】
また、請求項２に記載の発明は、請求項１に記載の発明において、前記錘体は、前記長手方向中心軸から偏心した位置に、前記錘体の比重と異なる比重の材料を有することを特徴とする。
【００１１】
この請求項２に記載の発明によれば、請求項１に記載の発明と同様の作用効果が得られるとともに、錘体が、釣り用錘の長手方向中心軸から偏心した位置に、錘体の比重と異なる比重の材料を有するため、釣り用錘全体の重心を簡単且つ調整可能に前記長手方向中心軸に対して第２のアームの延在方向と反対の方向に偏心させることができる。また、錘体の比重と異なる比重の材料を錘体に対して着脱可能にすれば、水底への着底時の錘の姿勢（傾斜角度）を自在に調整でき有益である。
【００１２】
また、請求項３に記載の発明は、請求項１に記載の発明において、前記錘体が前記長手方向中心軸に対して非対称な形状を成すことを特徴とする。
【００１３】
この請求項３に記載の発明によれば、請求項１に記載の発明と同様の作用効果が得られるとともに、錘体が釣り用錘の長手方向中心軸に対して非対称な形状を成しているため、釣り用錘全体の重心を効果的且つ簡単に前記長手方向中心軸に対して第２のアームの延在方向と反対の方向に偏心させることができる。
【発明の効果】
【００１４】
本発明のＬ型天秤付き釣り用錘によれば、潮の流れなどの影響を受けても根掛かりを防止できる。
【図面の簡単な説明】
【００１５】
【図１】（ａ）は本発明の第１の実施形態に係るＬ型天秤付き釣り用錘の正面図、（ｂ）は（ａ）のＬ型天秤付き釣り用錘を上側（天秤側）から見た平面図である。
【図２】図１のＬ型天秤付き釣り用錘を海底に着底させた様子を示す概略図である。
【図３】（ａ）は本発明の第２の実施形態に係るＬ型天秤付き釣り用錘の正面図、（ｂ）は本発明の第３の実施形態に係るＬ型天秤付き釣り用錘の正面図である。
【図４】（ａ）は本発明の第４の実施形態に係るＬ型天秤付き釣り用錘の正面図、（ｂ）は本発明の第５の実施形態に係るＬ型天秤付き釣り用錘の正面図である。
【図５】従来のＬ型天秤付き釣り用錘を海底に着底させた様子を示す概略図である。
【発明を実施するための形態】
【００１６】
以下、添付図面を参照して、本発明に係るＬ型天秤付き釣り用錘の実施形態について説明する。  
図１は本発明の第１の実施形態を示している。図示のように、本実施形態のＬ型天秤付き釣り用錘１は、錘体１０と錘体１０の上部に設けられる浮力体１５とから成る本体２を有しており、浮力体１５には例えば金属製のＬ型天秤４が設けられている。ここで、錘体１０は、ＳＵＳ、タングステン、スズ、鉄などの金属から形成され、また、浮力体１５は、ポリエチレン、ポリプロピレンなどの合成樹脂や木材などから形成されている。
【００１７】
また、本体１は、縦長の略弾頭状を成しており、その長手方向に沿って中心軸（長手方向中心軸）Ｘを有している。そして、本体１は、中心軸Ｘと垂直な面Ｐ１に対して傾斜する接合面Ｐ２で浮力体１５と錘体１０とが互いに接合されて構成される。
【００１８】
Ｌ型天秤４は、本体２（したがって、釣り用錘１）の長手方向中心軸Ｘに沿って浮力体１５の端部（上端）から延びる第１のアーム６と、本体２の長手方向中心軸Ｘに対して垂直な方向で浮力体１５（第１のアーム６の基部の近傍）から延びる第２のアーム８とを有し、第１のアーム６の接続リング６ａに道糸５２（図２参照）が結合され、第２のアーム８の接続リング８ａに仕掛け５０（図２参照）が結合されるようになっている。なお、アーム６，８は、浮力体１５に固着されていてもよく、あるいは、浮力体１５に着脱可能に取り付けられていてもよい。
【００１９】
ここで、本実施形態の重要な特徴として、釣り用錘１全体の重心Ｇは、特に図１の（ｂ）に示されるように、本体２の長手方向中心軸Ｘに対して第２のアーム８の延在方向と反対の方向に所定の距離Ｌだけ偏心して位置されている。すなわち、そのような重心位置となるように、例えば、錘体１０および浮力体１５の重量や形状等、あるいは、天秤４の長さ等、更には接合面Ｐ２の傾斜等が設定されている。
【００２０】
図２は、本実施形態のＬ型天秤付き釣り用錘１を例えば海藻Ｃや岩等の根が点在する海中に仕掛け５０と共に投入して海底Ｂに着底させた（あるいは、更には仕掛け５０を巻き上げるべく海底Ｂに沿って引き摺っている）状態を示している。本実施形態のＬ型天秤付き釣り用錘１は、錘体１０の上部に浮力体１５が設けられているため、海底Ｂで（勿論、淡水の水底でも）自立できることは言うまでもないが、潮の流れなどの影響を受けても根掛かりを防止できる点で優れている。これは、本実施形態の釣り用錘１の全体の重心Ｇが本体２の長手方向中心軸Ｘに対して第２のアーム８の延在方向と反対の方向に偏心して位置されているためであり、図２に示されるように海底Ｂ等において錘１が潮の流れの方向（結果として、重心Ｇが位置する方向）に傾いた際には、第２のアーム８が、その傾き方向と反対の方向、すなわち、海底Ｂから離れる上向き方向に向けられるようになる。したがって、仕掛け５０が海底Ｂを這うように流されず、根掛かりを防止できる。
【００２１】
このように、本実施形態によれば、釣り用錘１全体の重心Ｇが本体２の長手方向中心軸Ｘに対して第２のアーム８の延在方向と反対の方向に偏心して位置されているため、潮の流れの影響を受けても根掛かりを防止できる。また、浮力体１５と錘体１０との接合面Ｐ２が本体２の長手方向中心軸Ｘと垂直な面Ｐ１に対して傾斜しているため、釣り用錘１全体の重心Ｇを効果的且つ簡単に本体２の長手方向中心軸Ｘに対して第２のアーム８の延在方向と反対の方向に偏心させることができる。また、このように、接合面Ｐ２が傾斜していると、例えば仕掛け５０を巻き上げるべく錘１が横倒しされた状態で海底Ｂに沿って引き摺られる際に（例えば、図２参照）、海底側となる錘体の面積を、接合面が傾斜していない（長手方向中心軸に対して垂直な）場合と比べて大きくでき、また、錘体が浮力体と比較して硬質となっていることから、海底の凹凸等による錘の破損を抑制できる（浮力体の損傷を防止できる）。
【００２２】
図３の（ａ）は本発明の第２の実施形態を示している。図示のように、本実施形態では、釣り用錘１全体の重心Ｇを簡単且つ調整可能に本体２の長手方向中心軸Ｘに対して第２のアーム８の延在方向と反対の方向に偏心させるため、錘体１０が、本体２の長手方向中心軸Ｘから偏心した位置に、錘体１０の比重と異なる（錘体１０の比重よりも高い）比重の材料（例えば、タングステンから形成される）４５を有する。具体的には、例えば、錘体１０には、長手方向中心軸Ｘに対して第２のアーム８の延在方向と反対の方向に偏心した位置に、中心軸Ｘと略平行に沿って延びる縦穴が形成されており、接合面Ｐ２（本発明の接合面は傾斜していない）で開口する前記縦孔の開口部から例えば円柱状の材料４５が埋め込まれる。このように錘体１０の比重と異なる（錘体１０の比重よりも高い）比重の材料４５を錘体１０に対して着脱可能にすれば、水底への着底時の錘１の姿勢（傾斜角度）を自在に調整できるため有益である。無論、材料４５が錘体１０に単に埋設されて着脱できない構成であっても構わない。
【００２３】
図３の（ｂ）は本発明の第３の実施形態を示している。図示のように、本実施形態でも、釣り用錘１全体の重心Ｇを簡単且つ調整可能に本体２の長手方向中心軸Ｘに対して第２のアーム８の延在方向と反対の方向に偏心させるため、錘体１０が該錘体１０の比重と異なる（錘体１０の比重よりも高い）比重の材料（例えばタングステンから形成される）４８を有する。具体的には、この材料４８は、浮力体１５と錘体１０との間に介挿され、重心Ｇの偏心に寄与するべく第２のアーム８の延在方向と反対の側で中心軸Ｘに沿って延出する延出部４８ａを有する（この意味で、錘体１０は、長手方向中心軸Ｘから偏心した位置に、錘体１０の比重と異なる比重の材料部分４８ａを有すると言える）。また、材料４８は、例えば図示のように円筒状を成して錘体１０の支持軸部１０ａに被嵌されるようになっていてもよい。
【００２４】
図４（ａ）は本発明の第４の実施形態を示している。図示のように、本実施形態では、釣り用錘１全体の重心Ｇを効果的且つ簡単に本体２の長手方向中心軸Ｘに対して第２のアーム８の延在方向と反対の方向に偏心させるため、錘体１０が本体２の長手方向中心軸Ｘに対して非対称な形状を成している。具体的には、錘体１０は、重心Ｇの偏心に寄与するべく第２のアーム８の延在方向と反対の側で中心軸Ｘと略垂直な方向に向けて外側に膨出する膨出部１０ａを有する。このような構成でも、重心Ｇの偏心を効果的に実現でき有益である。
【００２５】
図４（ｂ）は本発明の第５の実施形態を示している。図示のように、本実施形態では、釣り用錘１全体の重心Ｇを簡単且つ調整可能に本体２の長手方向中心軸Ｘに対して第２のアーム８の延在方向と反対の方向に偏心させるため、錘体１０が、本体２の長手方向中心軸Ｘから偏心した位置に、錘体１０の比重と異なる（錘体１０の比重よりも軽い）比重の材料（例えば、浮力体１５と同じ材料あるいは発泡スチロールなどから形成される）４９を有する。具体的には、例えば、錘体１０には、長手方向中心軸Ｘに対して第２のアーム８の延在方向と同じ方向に偏心した位置に、中心軸Ｘと略平行に沿って延びる縦穴が形成されており、接合面Ｐ２（本発明の接合面は傾斜していない）で開口する前記縦孔の開口部から例えば円柱状の材料４９が埋め込まれる。このように錘体１０の比重よりも軽い比重の材料４９を錘体１０に対して着脱可能にすれば、水底への着底時の錘１の姿勢（傾斜角度）を自在に調整できるため有益である。無論、材料４９が錘体１０に単に埋設されて着脱できない構成であっても構わない。
【００２６】
なお、本発明は前述した実施形態に限定されず、その要旨を逸脱しない範囲で種々変形して実施できることは言うまでもない。例えば、前述した実施形態では、Ｌ型天秤４が浮力体１５の上端から延びているが、Ｌ型天秤４は浮力体１５の任意の位置から延びていればよく、あるいは、浮力体１５以外の部位から延びていてもよい。また、前述した実施形態では、第２のアーム８の長手方向軸線のほぼ延長線上に重心Ｇが位置しているが、重心Ｇは、第２のアーム８の延在方向と反対の方向において、第２のアーム８の長手方向軸線の延長線の両側４５度の範囲（延長線を中心とする全体で９０度の範囲）にわたる任意の方向に位置されてもよい。
【符号の説明】
【００２７】
１，１Ａ，１Ｂ，１Ｃ，１Ｄ  Ｌ型天秤付き釣り用錘
２  本体
４  Ｌ型天秤
６  第１のアーム
８  第２のアーム
１０  錘体
１５  浮力体
４５，４８，４９  錘体の比重と異なる比重の材料
Ｇ  重心
Ｐ１  長手方向中心軸と垂直な面
Ｐ２  接合面
Ｘ  長手方向中心軸
【図１】
0005483603.tif 000002
【図２】
0005483603.tif 000003
【図３】
0005483603.tif 000004
【図４】
0005483603.tif 000005
【図５】
0005483603.tif 000006